(57)【特許請求の範囲】
【請求項１】
送風ダクトとつながるダクト接続口、およびダクト接続口からの空気を放出する下部開口部を備えて天井から吊り下げられる吹出口チャンバーと、このチャンバーの下部開口部に固定され、チャンバー内の空気を室内に吹き出す長方形状吹出グリルとを備えてなり、上記長方形状吹出グリルの一部の桟をグリル本体から着脱自在となし、この桟を取り外すことにより手をチャンバー内に挿入可能ならしめた空気吹出口ユニットにおいて、前記桟を上記吹出グリル中央部の長板として、その桟上部に三角柱状の風向板を形成し、かつ該風向板の一端に嵌合用弾性爪部を設けて該弾性爪部をグリル本体に形成した爪受凹部に弾性嵌合可能ならしめる一方、桟の他端側はチャネル状の凹部を形成してグリル本体に形成した耳状部を有する逆Ｔ字状金具と突起を嵌挿し得る如く構成し、桟をグリル本体から着脱自在となしたことを特徴とする空気吹出口ユニット。
【請求項２】
上記チャンバーのダクト接続口にフラップ状の風量調節ダンパーを設け、該ダンパーに、指が挿入可能な切欠部を形成した請求項１記載の空気吹出口ユニット。
【請求項３】
上記チャンバーを吊り下げる吊りボルトを、チャンバー上壁の中央部を貫通する１本のみとすると共に、この貫通したボルトをチャンバーの内側でナットによって締着し、このナットの締め加減によりチャンバーの高さ調整を行うようにした請求項１または２記載の空気吹出口ユニット。
【請求項４】
上記チャンバー上壁のボルト貫通孔を上記ナットが挿通しうる大きさに形成すると共に、上面に断熱材を重合し、かつボルト軸部を一端から挿通させるスリットを備えた取付板を、上記ボルト貫通孔を挿通したナットとチャンバー上壁との間に座金状に介在せしめた請求項３記載の空気吹出口ユニット。
【発明の詳細な説明】
【０００１】
【発明の属する技術分野】
本発明は、例えば空気調和機や換気装置の空気吹出口ユニットに係り、詳しくは天井に据付けられる空気吹出口ユニットに関するものである。
【０００２】
【従来の技術】
上記空気調和機等の空気吹出口ユニットは、図１３に示すように、機械本体と送風ダクトによってつながれるダクト接続口２２やこのダクト接続口２２から入った空気を放出する下部開口部２３を備えた吹出口チャンバー２４と、このチャンバー２４の下部開口部２３に固定され、チャンバー２４内の空気を室内に吹き出す吹出グリルとを備えている。
【０００３】
上記空気吹出口ユニットは、例えば１台の空気調和機本体から分岐して複数台設置されることが多く、このことからチャンバー２４に入る空気の量を調節するために上記ダクト接続口２２にフラップ状の風量調節ダンパー２６を備えている。
【０００４】
すなわち、上記空気調和機では、上記複数個の室内ユニットを取り付けた後に、各チャンバーの風量調節をダンパーにて行う必要があるが、その場合、一度チャンバーにねじ２７等により取付け終えた吹出グリル２５を図示の如く取り外して風量調節した後、再度この吹出グリル２５を取付ける必要がある。さらに、複数個のチャンバーの風量バランスを取る場合、上記吹出グリル２５の着脱を数回繰り返さねばならず、施工性が悪いという問題がある。
【０００５】
また、吹出グリルを取り付けたときに、天井板と吹出グリルの間に上下に隙間ができる場合や、チャンバーと吹出グリルの間に隙間ができる場合も、上記と同様に吹出グリルを外し、チャンバーを吊り下げているボルトのナットを回してチャンバーの高さ調整を図る必要があり、やはり施工性に問題があった。
【０００６】
【発明が解決しようとする課題】
本発明は叙上の如き実状に対処し、吹出グリルの一部に新規な構成を見出すことにより、吹出グリルの取付け後もこのグリル本体を取り外すことなく、前記ダンパーの調節やチャンバーの高さ調整を行わしめることを目的とするものである。
【０００７】
【課題を解決するための手段】
すなわち、上記目的に適合する本発明の空気吹出口ユニットは、先ず１つは、送風ダクトとつながるダクト接続口、およびダクト接続口からの空気を放出する下部開口部を備えて天井から吊り下げられる吹出口チャンバーと、このチャンバーの下部開口部に固定され、チャンバー内の空気を室内に吹き出す長方形状吹出グリルとを備えてなり、上記長方形状吹出グリルの一部の桟をグリル本体から着脱自在となし、この桟を取り外すことにより手をチャンバー内に挿入可能ならしめた空気吹出口ユニットにおいて、前記桟を上記吹出グリル中央部の長板状として、その桟上部に三角柱状の風向板を形成し、かつ該風向板の一端に嵌合用弾性爪部を設けて該弾性爪部をグリル本体に形成した爪受凹部に弾性嵌合可能ならしめる一方、桟の他端側にチャネル状の凹部を形成してグリル本体に形成した耳状部を有する逆Ｔ字状金具と突起を嵌挿し得る如く構成し、桟をグリル本体から着脱自在となしたことを特徴とする。
【０００８】
また、上記本発明の空気吹出口ユニットにおいて、上記チャンバーのダクト接続口にフラップ状の風量調節ダンパーを設け、該ダンパーに、指が挿入可能な切欠部を形成することも可能である。
【０００９】
一方、チャンバーの高さ調整を容易にする場合は、上記本発明の空気吹出口ユニットにおいて、上記チャンバーを吊り下げる吊りボルトを、チャンバー上壁の中央部を貫通する１本のみとすると共に、この貫通したボルトをチャンバーの内側でナットによって締着し、このナットの締め加減によりチャンバーの高さ調整を行うようにすることが好適である。
【００１０】
さらに、このチャンバーの取り付け構造において、上記チャンバー上壁のボルト貫通孔を上記ナットが挿通しうる大きさに形成すると共に、上面に断熱材を重合し、かつボルト軸部を一端から挿通させるスリットを備えた取付板を、上記ボルト貫通孔を挿通したナットとチャンバー上壁との間に座金状に介在せしめることも可能である。
【００１１】
【作用】
上記本発明の空気吹出口ユニットにおいては、吹出グリルの一部の桟を取り外すことにより、チャンバー内に手を挿入してダンパーを調整しうることから、チャンバーの風量調節時に一々吹出グリルを取り外す必要がなくなり、空気吹出口ユニット取付時の施工性を大きく向上させることが可能である。
また、この場合、ダンパーに切欠部を形成することにより、指を挿入しやすくしてダンパーの調節をさらに容易にすることも可能である。
【００１２】
一方、チャンバーの高さ調整を容易にする場合は、前記の如くチャンバーの吊りボルトをチャンバー内にナットがくるように設け、前記桟を取り外してこのナットを回すことにより、吹出グリルを装着したままでチャンバーの高さを調整することが可能である。
【００１３】
さらに、チャンバーのボルト貫通孔を、吊り下げボルトをナットごと挿入可能となし、ナットと上記ボルト貫通孔との間に前記取付板をスライド挿入することによって、チャンバーの吊り下げボルトへの固定を容易にすることも可能である。
【００１４】
【発明の実施の形態】
以下さらに添付図面を参照して、本発明の実施の形態を説明する。
【００１５】
図１は本発明実施形態の空気吹出口ユニットを示す分解斜視図、図２は同空気吹出口ユニットの吹出グリルを示す分解斜視図、図３は同吹出グリルの斜視図、図４は同吹出グリルの中央の桟を示す斜視図である。
【００１６】
上記実施形態の空気吹出口ユニットは、図１に示すように、天井板（図示せず）上方のコンクリート壁等から吊り下げられる箱状の吹出口チャンバー１と、このチャンバー１の下部開口部３にねじ等により固定され、チャンバー１内の空気を室内に吹き出す吹出グリル２とを備えている。
【００１７】
上記チャンバー１は例えば空気調和機本体（図示せず）とつながるダクト接続口４を備え、このダクト接続口４からの空気を上記下部開口部３から放出するようになっている。また、チャンバー１の上記ダクト接続口４には半円フラップ状の２枚のダンパー５が開閉自在に形成されている。これらのダンパー５には、夫々図示の如く指を掛け、あるいは挿入しうるように切欠部６（透孔を含む）が形成されている。
【００１８】
そして、本発明のこの実施形態においては、上記吹出グリル２中央部の長板状の桟７をグリル本体２から着脱自在となし、図１に示す如く、この桟を取り外すことにより手をチャンバー１内に挿入しうる空隙８を形成している。
【００１９】
上記桟７は、図４に示すように上部に三角柱状の風向板９を備えており、この風向板９の一端に嵌合用の弾性爪部１０を備えている。そして、この桟７のグリル本体２への取付けは、図５、図６に示すように、桟７の他端に形成したチャネル状の凹部１１を、グリル本体２に形成した逆Ｔ字状金具２８の耳状部２８ａと突起１２とに嵌挿すると共に、桟７の弾性爪部１０側を図示の如く押し込んで、この弾性爪部１０をグリル本体２の爪受凹部１３に弾性嵌合させることによって行う。なお、図に示すように上記爪受凹部１３、逆Ｔ字状金具２８及び突起１２はグリル本体２の対向側にも形成されており、桟７を逆向きにでも取付けられるようになっている。
【００２０】
図１１（Ａ）は上記逆Ｔ字状金具２８と桟７の凹部１１との嵌合を示し、同図（Ｂ）は上記突起１２と桟７の凹部１１との嵌合を示し、図１２（Ａ）は弾性爪部１０側の桟７と上記逆Ｔ字状金具２８との関係、同図（Ｂ）は同じく弾性爪部１０側の桟７と上記突起１２との関係を夫々示す断面図である。
【００２１】
図１１（Ａ）（Ｂ）に示すように、桟７の凹部１１側では、図示の如くこのチャネル状凹部１１に対し上記逆Ｔ字状金具２８と突起１２とが夫々嵌合しているが、桟７の弾性爪部１０側では、図１２（Ａ）（Ｂ）に示すように桟７に凹部１１はないため、桟７は上記逆Ｔ字状金具２８と突起１２とは嵌合はせず、図５、図６に示すように桟７は前記弾性爪部１０の弾性嵌合によって固定される。この図１２（Ａ）（Ｂ）に示す逆Ｔ字状金具２８と突起１２は、桟７が前記したように逆向きに取付けられるときに桟７の凹部１１と嵌合するようになっている。
【００２２】
一方、チャンバー１は、図１、図７に示すように、チャンバー上壁１４の中央部を貫通する１本の吊りボルト１５と、この吊りボルト１５にチャンバー１内でワッシャ１７を介して螺合する蝶ナット１６とによって吊り下げられており、この蝶ナット１６の締め加減によって高さ調整を行うようになっている。この蝶ナット１６の回動も、前記吹出グリル２の中央部の桟７を取り外すことによって行える。
【００２３】
また、図８に示すように、チャンバー上壁１４中央部のボルト貫通孔１８′を六角ナットまたは蝶ナット１６が挿通しうる大きさに形成すると共に、図９に示す如く、上面に断熱材１９を重合し、かつボルト１５の軸部を一端から挿通させるスリット２０を備えた取付板２１を、図１０に示す如く上記ボルト貫通孔１８′を挿通したナット１６とチャンバー上壁１４との間に座金状に介在させることも可能である。
なお、上記断熱材１９は柔軟性と弾性を有し、スリット２０′が取付板２１のスリット２０を塞ぐように作用して空気のもれを抑制する。
【００２４】
しかして、上記本発明実施形態の空気吹出口ユニットにおいては、図１に示す如く、吹出グリル２の中央の桟７を取り外すことにより、チャンバー１内に手を挿入してダンパー５を調整しうることから、チャンバー１の風量調節時に一々吹出グリル２を取り外す必要がなくなり、空気吹出口ユニット取付時の施工性を大きく向上させることが可能であり、この場合、ダンバー５に切欠部６を形成することにより、指を挿入しやすくしてダンパー調節をさらに容易にすることも可能である。そして、チャンバー１の高さ調整をする場合は、図７に示す如く、チャンバー１の吊りボルト１５をチャンバー１内にナット１６がくるように設け、前記桟７を取り外してこのナット１６を回すことにより、吹出グリル２を挿着したままでチャンバー１の高さを容易に調整することが可能である。
【００２５】
また、図８〜図１０に示すように、チャンバー１のボルト貫通孔１８を、吊りボルト１５をナット１６ごと挿入可能となし、先付けしたナット１６と上記ボルト貫通孔１８との間に前記取付板２１をスライド挿入することによって、チャンバーを持ちながらナットを取り付けるような従来の作業を改善することが可能である。
【００２６】
以上、本発明の実施形態を説明したが、桟７のチャネル状凹部１１を形成している凸条２９は、図４に示すように弾性爪部１０直前の決められた位置で切り欠かれており、この凸条２９の切り欠き側端部２９ａに上記弾性爪部１０の耳部１０ａを当接させて固定することにより、この弾性爪部１０の位置決めを行うことが可能である。そして、この弾性爪部１０の耳部１０ａに図示の如く風向板９の端部を当接させることにより、この風向板９の位置決め（センタリング）を行うことが可能である。
【００２７】
【発明の効果】
以上説明したように、本発明の空気吹出口ユニットは、吹出グリルの一部の桟を長方形状の吹出口中央部の長板状として桟上部に風向板を設けて、その一端の弾性爪部とグリル本体の爪受凹部との弾性嵌脱ならびに桟の他端のチャネル状凹部と、グリル本体の逆Ｔ字状金具、突起との嵌挿脱によりグリル本体から着脱を可能となし、この桟を取り外すことにより手をチャンバーに挿入可能ならしめたものであり、吹出グリルの一部を嵌合を外し上記の如く取り外して、チャンバー内に手を挿入してダンパーを調整しうることから、チャンバーの風量調節時に一々吹出グリルを取り外し、また取り付ける必要がなくなって吹出ユニット取付時の施工性を大きく向上させるとの顕著な効果を奏するものである。
しかも、長方形状の吹出グリルにおいて桟は両端で確実に嵌着保持されるので、取り付け時には安定して保持することができる。
また、上記ダンパーに切欠部を形成することにより、指を挿入しやすくしてダンパー調節を更に容易にすることも可能である。
一方、チャンバーの高さ調整をする場合は、チャンバーの吊りボルトをチャンバー内にナットがくるように設け、上記桟を取り外してこのナットを回すことにより、吹出グリルを装着したままでチャンバーの高さを容易に調整することが可能である。
【００２８】
そしてさらに、チャンバーのボルト貫通孔を、吊りボルトをナットごと挿入可能となし、先付けしたナットと上記ボルト貫通孔との間に取付板をスライド挿入することによって、チャンバーを持ちながらのナット締め作業を廃し、チャンバーの吊りボルトへの固定を容易にすることが可能である。
【図面の簡単な説明】
【図１】本発明実施形態の空気吹出口ユニットを示す分解斜視図である。
【図２】同ユニットの吹出グリルを示す分解斜視図である。
【図３】同吹出グリルの斜視図である。
【図４】同吹出グリルの中央の桟を示す斜視図である。
【図５】上記桟を吹出グリルへ取り付ける状態を示す断面図である。
【図６】同、取付後の状態を示す断面図である。
【図７】チャンバーの取り付け状態を示す断面図である。
【図８】チャンバーの他の取り付け方法の取り付け前の状態を示す断面図である。
【図９】上記取り付け方法に使用する取付板を示す斜視図である。
【図１０】上記取り付け方法の取り付け後の状態を示す断面図である。
【図１１】（Ａ）  逆Ｔ字状金具と桟の凹部との嵌合を示す断面図である。
（Ｂ）  突起と桟の凹部との嵌合を示す断面図である。
【図１２】（Ａ）  逆Ｔ字状金具と桟の弾性爪部側の関係を示す断面図である。
（Ｂ）  突起と桟の弾性爪部側の関係を示す断面図である。
【図１３】従来の空気調和機の空気吹出口ユニットを示す分解斜視図である。
【符号の説明】
１  チャンバー
２  吹出グリル
３  下部開口部
４  ダクト接続口
５  ダンパー
６  切欠部
７  桟
８  空隙
９  風向板
１０  弾性爪部
１０ａ  弾性爪部の耳部
１１  チャネル状凹部
１２  突起
１３  爪受凹部
１４  チャンバー上壁
１５  吊りボルト
１６  蝶ナット
１７  ワッシャ
１８  ボルト貫通孔
１９  断熱材
２０  スリット
２１  取付板
２８  逆Ｔ字状金具
２８ａ  耳状部
２９  凸条
２９ａ  凸条の切り欠き側端部
【図１】
0003605624.tif 000002
【図２】
0003605624.tif 000003
【図３】
0003605624.tif 000004
【図４】
0003605624.tif 000005
【図５】
0003605624.tif 000006
【図６】
0003605624.tif 000007
【図７】
0003605624.tif 000008
【図８】
0003605624.tif 000009
【図９】
0003605624.tif 000010
【図１０】
0003605624.tif 000011
【図１１】
0003605624.tif 000012
【図１２】
0003605624.tif 000013
【図１３】
0003605624.tif 000014